(57)【要約】【課題】利用者が情報端末装置またはガスメータの近くにいないと異常が発生したことに気付かないことや、気付くのが遅かったということがあった。特に、ガスの異常の場合、生命に危険を及ぼす恐れが生じることもあり、異常発生の場合、迅速に利用者に知らせる必要があった。【解決手段】ガスメータ２で異常を検知すると、情報端末装置３を経由して、電気機器１５より異常情報を報知することにより、利用者は、ガスメータ２や情報端末装置３の設置している部屋にいなくても、電気機器１５の近くにいれば、ガスメータ２で異常が発生したことに気付きやすくなり、迅速な対応をすることができるようになる。【選択図】図２
2005321925.tif 000002
【特許請求の範囲】
【請求項１】
ガス、電気、水道などの異常検知、保安管理を行う設備機器と、音または音声または表示により利用者へ報知する報知部を備えた電気機器と、前記設備機器および前記電気機器と通信するネットワーク手段と、前記設備機器から異常情報を受信すると前記電気機器に報知するように指令を出力する報知指令部を備えた情報端末装置で構成される報知システム。
【請求項２】
電気機器は、家庭のセキュリティ監視を行う侵入検知装置であることを特徴とした請求項１記載の報知システム。
【請求項３】
設備機器から異常情報を受信すると、一部または全ての電気機器に報知することを選択することができる報知指令選択部を備えた情報端末装置であることを特徴とした請求項１または２に記載の報知システム。
【請求項４】
ガス、電気、水道などの異常検知、保安管理を行う設備機器と、音または音声または表示により利用者へ報知する報知部を備えた電気機器と、前記設備機器および前記電気機器と通信が可能な情報端末装置とにおいて、前記情報端末装置は、前記設備機器から異常情報を受信する受信手順と、前記電気機器に報知するように指令を出力する報知指令手順とを備えた情報処理の方法。
【請求項５】
ガス、電気、水道などの異常検知、保安管理を行う設備機器と、音または音声または表示により利用者へ報知する報知部を備えた電気機器と、前記設備機器および前記電気機器と通信が可能な情報端末装置とにおいて、前記情報端末装置は、前記設備機器から異常情報を受信する受信手順と、設備機器から異常情報を受信すると、一部または全ての電気機器に報知することを選択することができる報知指令選択手順と、前記電気機器に報知するように指令を出力する報知指令手順とを備えた情報処理の方法。
【請求項６】
請求項１〜３のいずれか１項記載の情報端末装置の機能の少なくとも一部をコンピュータにて実現させるためのプログラム。
【発明の詳細な説明】
【技術分野】
【０００１】
本発明は、ガス、電気、水道で利用される設備機器と、音または表示で報知できる機能を有する冷蔵庫、洗濯機などの家電機器や家庭のセキュリティ監視を行う侵入検知装置と通信を行うシステムに用いる情報端末装置、情報処理の方法及びプログラムに関するものである。
【背景技術】
【０００２】
従来、この種のシステムとしては、例えば、ガスメータより異常が通知されると情報端末装置での報知または、情報端末装置に接続されたテレビに異常情報を表示させるというものがあった（特許文献１参照）。
【０００３】
図６は、特許文献１に記載された従来の報知システムのシステム構成図を示すものである。図６に示すように、テレビ１０１と、ネットワーク網を介してデータ通信を行うセンターサーバー１０２と、前記テレビに接続し前記ネットワーク網を介して外部と通信する第１の通信手順１０３と、ガスメータ１０４と通信を行う第２の通信手段１０５を備えた情報端末装置１０６とで構成されたシステムであり、ガスメータ１０４で異常を検知すると、情報端末装置１０６に異常情報が通知され、情報端末装置１０６のＬＥＤを点滅させ、音声または音により報知させる。また、ガス異常のＬＥＤ点滅を確認した利用者は、テレビ１０１の操作によってビデオ入力に変更し、情報端末装置より受信したＨＴＭＬ文書を表示する操作を行うと、テレビ信号に変換してテレビに表示するというものであり、日常、リビングで団らんしながら、ガス異常を検知した場合、リビングなどに設置したテレビに情報表示を行うことにより、テレビを見ている際に流れる地震情報のように緊急情報を確認できるようになる。
【特許文献１】特開２００２−２６２３６７号公報
【発明の開示】
【発明が解決しようとする課題】
【０００４】
しかしながら、前記従来の構成では、利用者が情報端末装置またはテレビの近くにいないと異常が発生したことに気付かないことや、気付くのが遅かったということがあった。特に、ガスの異常の場合、生命に危険を及ぼす恐れが生じることもあり、異常発生の場合、迅速に利用者に知らせる必要があった。
【０００５】
本発明は、前記従来の課題を解決するもので、ガス、電気、水道で利用される設備機器が異常を検知すると、情報端末装置を経由して、情報端末装置に接続された音または表示で報知できる機能を有する冷蔵庫、洗濯機などの家電機器や家庭のセキュリティ監視を行う侵入検知装置より報知することができる報知システム、情報処理の方法、情報端末装置、及びプログラムを提供することを目的とする。
【課題を解決するための手段】
【０００６】
前記従来の課題を解決するために、本発明の報知システムは、ガス、電気、水道などの異常検知、保安管理を行う設備機器と、音または音声または表示により利用者へ報知する報知部を備えた電気機器と、前記設備機器および前記電気機器と通信する送受信部と前記設備機器から異常情報を受信すると前記電気機器に報知するように指令を出力する報知指令部を備えた情報端末装置で構成されたものであり、設備機器で異常を検知すると、情報端末装置を経由して、電気機器より異常情報を報知するというものである。
【発明の効果】
【０００７】
本発明の報知システム、情報端末装置、情報処理の方法及びプログラムは、設備機器で異常を検知すると、情報端末装置を経由して、電気機器より異常情報を報知することで、利用者は、設備機器や情報端末装置の設置している部屋にいなくても、電気機器の近くにいれば、設備機器で異常が発生したことを知ることができるので、設備機器が異常発生したことに気付くのに遅れることなく、迅速な対応をすることができるようになる。
【発明を実施するための最良の形態】
【０００８】
第１の発明は、ガス、電気、水道などの異常検知、保安管理を行う設備機器と、音または音声または表示により利用者へ報知する報知部を備えた電気機器と、前記設備機器および前記電気機器と通信するネットワーク手段と、前記設備機器から異常情報を受信すると前記電気機器に報知するように指令を出力する報知指令部を備えた情報端末装置で構成される報知システムであり、設備機器で異常を検知すると、情報端末装置を経由して、電気機器より異常情報を報知することで、利用者は、設備機器や情報端末装置の設置している部屋にいなくても、電気機器の近くにいれば、設備機器で異常が発生したことを知ることができので、設備機器が異常発生したことに気付くのに遅れることなく、迅速な対応をすることができるようになる。
【０００９】
第２の発明は、特に、第１の発明の報知システムにおいて、電気機器は、家庭のセキュリティ監視を行う侵入検知装置であることを特徴としたものであり、侵入検知装置は、部屋だけでなく玄関や勝手口など狭いスペースに設置することができ、また、本来、侵入を検知すると音量の大きい音で報知することを目的としているため、利用者は、より一層異常が発生したことに気付きやすくなる。
【００１０】
第３の発明は、特に、第１の発明または第２の発明の報知システムに、設備機器から異常情報を受信すると、一部または全ての電気機器に報知することを選択することができる報知指令選択部を備えた情報端末装置であることを特徴としたものであり、利用者が報知して欲しい電気機器を選択できるので、普段居ないような場所に設置された電気機器からは報知させないようにすることができる。
【００１１】
第４の発明は、ガス、電気、水道などの異常検知、保安管理を行う設備機器と、音または音声または表示により利用者へ報知する報知部を備えた電気機器と、前記設備機器および前記電気機器と通信が可能な情報端末装置とにおいて、前記情報端末装置は、前記設備機器から異常情報を受信する受信手順と、前記電気機器に報知するように指令を出力する報知指令手順とを備えた情報処理の方法であり、設備機器で異常を検知すると、情報端末装置を経由して、電気機器より異常情報を報知することで、利用者は、設備機器や情報端末装置の設置している部屋にいなくても、電気機器の近くにいれば、設備機器で異常が発生したことを知ることができので、設備機器が異常発生したことに気付くのに遅れることなく、迅速な対応をすることができるようになる。
【００１２】
第５の発明は、ガス、電気、水道などの異常検知、保安管理を行う設備機器と、音または音声または表示により利用者へ報知する報知部を備えた電気機器と、前記設備機器および前記電気機器と通信が可能な情報端末装置とにおいて、前記情報端末装置は、前記設備機器から異常情報を受信する受信手順と、設備機器から異常情報を受信すると、一部または全ての電気機器に報知することを選択することができる報知指令選択手順と、前記電気機器に報知するように指令を出力する報知指令手順とを備えた情報処理の方法であり、設備機器から異常情報を受信すると、一部または全ての電気機器に報知することを選択することができる報知指令選択手順を備えたものであり、利用者が報知して欲しい電気機器を選択できるので、普段居ないような場所に設置された電気機器からは報知させないようにすることができる。
【００１３】
第６の発明は、特に、第１〜３のいずれか１つの発明の情報端末装置の機能の少なくとも一部をコンピュータに実現させるためのプログラム。そして、プログラムであるので電気・情報機器、コンピュータ、サーバー等のハードリソースを協働させて本発明の情報端末装置の少なくとも一部を容易に実現することができる。また記録媒体に記録したり通信回線を用いてプログラムを配信したりすることでプログラムの配布やインストール作業が簡単にできる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における報知システムのシステム構成図、図２は、本発明の第１の実施の形態における報知システムの情報端末装置のブロック図を示すものである。
【００１６】
図１において、第一の通信ネットワーク手段１として具体的には、ガスメータ２、冷蔵庫１４、侵入検知装置１５と情報端末装置３とは無線を媒体として利用する構成で、ガスメータ２、冷蔵庫１４、侵入検知装置１５には無線通信ユニット４が取り付けられており、情報端末装置３には、無線通信ユニット５が内蔵されている。なお、無線通信方式としては、特定小電力無線を使用し、４００ＭＨｚ帯の伝送周波数を用いて通信を行う。
【００１７】
なお、ガスメータ２は利用者の家屋に設置されたガスの使用量を計量し、ガス漏れ等の異常検知を行う。
【００１８】
また、第二の通信ネットワーク手段６として情報端末装置３とガス供給業者がガス供給の安全監視、ガス使用量の検針または情報サービスなどを行う管理センターのセンターサーバ７とは経路にインターネットや公衆回線網などの通信回線を利用している。
【００１９】
また、表示部８の表示画面は液晶ディスプレイパネル９で、入力部１０の入力デバイスは液晶ディスプレイパネル９に重ねて設けられたタッチパネル１１である。使用者は画面の表示内容に対して触れることにより、所望の動作をさせることができる。また、液晶ディスプレイ９の表示画面には、ガスメータ２で異常を検知した情報表示やセンターサーバで提供するコンテンツ情報を表示したり、利用者自身が簡単なスケジュール管理などをすることができる。
【００２０】
また、音声出力部１２の出力装置はスピーカ１３ａであり、情報端末装置３上でのサービス内容に応じた音声ガイダンスやガスメータから異常情報を受信した場合、異常警報音などを報知する。
【００２１】
また、冷蔵庫１４、侵入検知装置１５には報知するブザー１３ｂが備えられている。なお、侵入検知装置１５は、不審者の侵入検知などホームセキュリティを目的としたものであり、情報端末装置３よりも大音量のブザー出力を行うことができる。
【００２２】
図２において、情報端末装置３には、無線通信ユニット５が内蔵されており、第一の送受信部１６を介して、ガスメータ２、冷蔵庫１４、侵入検知装置１５と情報を通信することができる。なお、ガスメータ２、冷蔵庫１４、侵入検知装置１５と通信するためには、事前に機器登録をしておく必要がある。機器登録とは、例えば、ガスメータ２、冷蔵庫１４、侵入検知装置１５にはユニークなアドレスが割り振られており、情報端末装置３に前記のユニークなアドレスを登録することであり、機器登録部１７ａで機器登録管理を行う。
【００２３】
制御部１７は、入力した情報やデータを演算処理したり、制御信号、データの生成や送出を行い、機器登録部１７ａとガスメータ２から受信した情報に対して異常情報を判定する異常判定部１７ｂが備えられている。異常を判定した場合は、報知部１８で、異常が発生したことを知らせる画面表示を行い、音声ガイダンスを発声し、利用者へ注意を促す。
【００２４】
また、ガスメータ２の異常を判定したとき、情報端末装置３だけでなく、機器登録部１７ａで登録されている機器からも報知させることができる。報知指令選択部１９において、機器登録部１９で登録されている機器の中から報知させたい機器を選択することができる。
【００２５】
そして、異常判定部１７ｂで異常を判定した場合は、報知指令選択部１９で選択された機器に対して、報知指令部２０より、報知指令が出力される。
【００２６】
また、ガスメータ２は、入力した情報やデータを演算処理したり、制御信号、データの生成や送出を行う機器制御部２１ａ、ガスメータのガス漏れ等の異常を検知する異常検知部２２ａ、異常状態をＬＥＤ表示などで報知する機器報知部２３ａで構成される。
【００２７】
冷蔵庫１４は、入力した情報やデータを演算処理したり、制御信号、データの生成や送出を行う機器制御部２１ｂ、冷蔵庫の異常や扉の長時間開放を検知する異常検知部２２ｂ、異常検知部２２ｂで検知された異常状態をＬＥＤ表示やブザー警告により報知する機器報知部２３ｂで構成される。
【００２８】
侵入検知装置１５は、図示しないが、赤外線センサにより、検知するとブザー報知するものであり、入力した情報やデータを演算処理したり、制御信号、データの生成や送出を行う機器制御部２１ｃ、赤外線センサ検知する侵入検知部２２ｃ、侵入検知部２２ｃで検知された侵入検知状態をブザー警告により報知する機器報知部２３ｃで構成される。
【００２９】
ガスメータ２、冷蔵庫１４、侵入検知センサ１５は、いずれも情報端末装置３と通信する第一の送受信部１６を備えている。
【００３０】
また、情報端末装置３は、第二の送受信部３０により、ガス供給業者がガス供給の安全監視、ガス使用量の検針または情報サービスなどを行う管理センターのセンターサーバ７と情報の送受信を行う。
【００３１】
センターサーバ７には、情報端末装置３の設置時に顧客毎に管理されたガスメータに設定を行う設定情報や、顧客から取得した検針情報、ガス異常情報、他にコンテンツ情報などを管理するデータ管理装置３１と、データ管理装置３１のコンテンツ情報やデータ、情報端末装置３から取得するデータを演算処理したり、制御信号、データを生成し情報端末装置３へ送出するサーバ制御部３２で構成される。
【００３２】
以上のように構成された報知システムについて、図３、図４を用いて、ガスメータで異常を検知した時の動作、作用を説明する。
【００３３】
図３は、本発明の第１の実施の形態における報知システムの動作を説明するためのフロー図である。図４は、本発明の第１の実施の形態における報知システムの情報端末装置でガス異常が発生したとき報知する機器を選択する表示画面例を示す図である。図５は、本発明の第１の実施の形態における報知システムの情報端末装置でガス異常が発生したとき報知する機器を管理する一例の管理テーブルを示す図である。
【００３４】
図３において、情報端末装置３で、まずは、ガスメータ２から異常情報を受信した場合に、異常が発生したことを報知させることができる機器を選択する（Ｓ５１）。選択画面は例えば、図４に示すようなもので、冷蔵庫１４と侵入検知装置１５が登録されていることを表している。図４では、登録された機器毎に「報知する」「報知しない」のどちらかを選択することができる。なお、図４の表示画面例では、図示していないが、機器毎に個別に選択するのが面倒だという利用者に対しては、全ての登録機器に対して一括で「報知する」「報知しない」のどちらかを選択できるボタンを設ければ、利用者の利便性が上がることが期待できる。
【００３５】
図４で、侵入検知装置１５のみ「報知する」を選択したとする（Ｓ５２）。具体的には、報知指令選択部１９により、図５に示すテーブルの報知フラグで「１＝報知する」「０＝報知しない」で管理される。
【００３６】
次に、ガスメータ２がガス漏れを検知し、異常情報が情報端末装置３に送信された場合（Ｓ５３）、情報端末装置３は、受信した情報がガスメータ２の異常情報だと判定すると（Ｓ５４）、情報端末装置３から警報音を鳴らし、画面には、「ガスメータに異常が発生しました。すぐにガスの元栓を閉めてください。」などの表示を行い、利用者へ報知する（Ｓ５５）。
【００３７】
また同時に、異常情報をセンターサーバへ通知し（Ｓ５６）、侵入検知装置１５に対して、報知するように報知要求を送信する（Ｓ５７）。侵入検知装置１５では、報知要求を受信すると（Ｓ５８）、ブザー１３ｂにより警告音を鳴らす（Ｓ５９）。
【００３８】
以上のように、本実施の形態においては、ガスメータで異常を検知すると、情報端末装置を経由して、侵入検知装置より異常が発生したことをブザー報知することで、利用者は、ガスメータや情報端末装置が設置されている部屋にいなくても、侵入検知装置の近く、あるいは、侵入検知装置は大音量で報知してくれるので、ガスメータで異常が発生したことに気付きやすく、ガスメータで異常発生したことに気付くのに遅れることなく、迅速な対応をすることができるようになる。
【００３９】
また、ガスメータで異常を検知したとき報知する機器を選択できるようにしたことで、利用者が報知して欲しい機器を選択できるので、普段居ないような場所に設置された機器からは報知させないようにすることができる。
【００４０】
なお、本実施の形態はいずれも情報端末装置の手段の全てもしくは一部として、コンピュータを機能させるためのプログラムとしても同様の構成でできるものである。
【００４１】
また、冷蔵庫、侵入検知装置の報知方法として、ブザー出力のみ行ったが、スピーカを備えて音声出力させたり、表示機能を備えるとガスメータで異常が発生したことを促す表示をしてもよい。
【００４２】
また、報知音の種類については、特に説明しなかったが、例えば、侵入検知装置が侵入検知したときと同じ音でも異なる音でも、構わない。
【００４３】
また、第一の通信ネットワーク手段には、特定小電力による無線を用いたが、無線ＬＡＮや有線通信であっても構わない。
【００４４】
また、第一の通信ネットワーク手段の通信プロトコルについては、説明しなかったが、ガスメータはガスメータ専用通信プロトコル、冷蔵庫、侵入検知装置はエコーネット通信プロトコルを利用し、情報端末装置は両プロトコルに対応する構成として実現することもでき、どのような通信プロトコルの組み合わせであっても構わない。
【００４５】
また、情報端末装置は、ガスメータを１台接続できる構成としたが、複数であっても同様の方法で実現できる。
【００４６】
また、本実施の形態では、ガスメータを使用する構成としたが、ガスメータの代わりに水道メータや電力メータ、あるいは併用しても同様の効果を得ることができる。
【００４７】
また、登録された機器に冷蔵庫と侵入検知装置を例として説明したが、勿論、洗濯機やエアコン、テレビなど、情報端末装置と接続が可能で、音または表示で報知できる機器であれば、本実施の形態と同様の方法で実現することができる。
【００４８】
なお、本実施の形態で説明した手段・部は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４９】
以上のように、本発明にかかる報知システム、情報端末装置、情報処理の方法及びプログラムは、ガス、水道、電力に関する設備機器の異常に対して、情報端末装置に接続された機器から報知させるというものであるが、設備機器でなくても、例えば侵入検知装置が異常検知したときに、情報端末装置に接続された別の機器から報知するようにするなど、緊急性を要する重要な報知について、情報端末装置に接続された機器から報知させるようにすることも、同様の方法で適用できる。
【図面の簡単な説明】
【００５０】
【図１】本発明の第１の実施の形態における報知システムのシステム構成図
【図２】本発明の第１の実施の形態における報知システムの情報端末装置のブロック図
【図３】本発明の第１の実施の形態における報知システムの動作を説明するためのフロー図
【図４】本発明の第１の実施の形態における報知システムの情報端末装置でガス異常が発生したとき報知する機器を選択する表示画面例を示す図
【図５】本発明の第１の実施の形態における報知システムの情報端末装置でガス異常が発生したとき報知する機器を管理する一例の管理テーブルを示す図
【図６】従来の報知システムのシステム構成図
【符号の説明】
【００５１】
２  ガスメータ（設備機器）
３  情報端末装置
４  無線通信ユニット
５  無線通信ユニット
６  第一の通信ネットワーク手段（ネットワーク手段）
１４  冷蔵庫（電気機器）
１５  侵入検知装置（電気機器）
１６  第一の送受信部（送受信部）
１９  報知指令選択部
２０  報知指令部
２３ａ  機器報知部（報知部）
２３ｂ  機器報知部（報知部）
２３ｃ  機器報知部（報知部）
【図１】
2005321925.tif 000003
【図２】
2005321925.tif 000004
【図３】
2005321925.tif 000005
【図４】
2005321925.tif 000006
【図５】
2005321925.tif 000007
【図６】
2005321925.tif 000008